(57)【要約】【課題】リモコンに双方向通信機能を持たせることにより、利用者が定期的に見ている番組等を見逃すことがないように注意を喚起する。【解決手段】ＡＶ機器１０の受信履歴管理部１５で、過去に受信した放送信号のチャネル及び時間帯を含む受信履歴を記憶し、判定部１７で、この受信履歴に基づいてその時点で受信すべきチャネルを推定し、推定されたチャネルとその時点における受信チャネルを比較して一致していないときには注意喚起信号を生成し、無線ネットワーク３０を介してリモコン２０に送信する。リモコン２０は、ＡＶ機器１０から無線を介して送信された注意喚起信号を受信し、スピーカ２７及びＬＣＤ２８から可視または可聴信号で、利用者に注意喚起を行う。【選択図】図１
2009071566.tif 000002
【特許請求の範囲】
【請求項１】
放送信号を受信して出力または記録する音声映像装置と、無線を介して該音声映像装置に対する制御を行う遠隔制御装置からなる音声映像装置遠隔制御システムにおいて、
前記音声映像装置は、前記遠隔制御装置から無線を介して与えられる制御信号に基づいて前記放送信号を受信して出力または記録する受信手段に加え、
過去に受信した放送信号のチャネル及び時間帯を含む受信履歴を記憶する記憶手段と、
周期的に起動されて前記受信履歴に基づいてその時点で受信すべきチャネルを推定する推定手段と、
前記推定されたチャネルとその時点における受信チャネルを比較し、一致していないときには注意喚起信号を生成する判定手段と、
前記注意喚起信号を無線を介して前記遠隔制御装置に送信する送信手段とを有し、
前記遠隔制御装置は、操作部からの入力に従って無線を介して前記音声映像装置に対する制御を行う制御手段に加え、
前記音声映像装置から無線を介して送信された前記注意喚起信号を受信して可聴または可視信号で出力する出力手段を有することを特徴とする音声映像装置遠隔制御システム。
【請求項２】
前記出力手段は、前記注意喚起信号を可視信号で出力するための液晶表示器を有することを特徴とする請求項１記載の音声映像装置遠隔制御システム。
【請求項３】
前記出力手段は、前記注意喚起信号を音声または警告音で出力するためのスピーカを有することを特徴とする請求項１記載の音声映像装置遠隔制御システム。
【請求項４】
前記推定手段は、前記受信履歴に加えて、前記放送信号から得られた番組情報に基づいて受信すべきチャネルを推定することを特徴とする請求項１、２または３記載の音声映像装置遠隔制御システム。
【請求項５】
無線を介して与えられる制御信号に基づいて放送信号を受信して出力または記録する受信手段と、過去に受信した放送信号のチャネル及び時間帯を含む受信履歴を記憶する記憶手段と、周期的に起動されて前記受信履歴に基づいてその時点で受信すべきチャネルを推定する推定手段と、前記推定されたチャネルとその時点における受信チャネルを比較し、一致していないときには注意喚起信号を生成する判定手段と、前記注意喚起信号を無線を介して送信する送信手段とを有する音声映像装置を、無線を介して制御する遠隔制御装置であって、
操作部からの入力に従って無線を介して前記音声映像装置に対する制御を行う制御手段と、
前記音声映像装置から無線を介して送信された前記注意喚起信号を受信して可聴または可視信号で出力する出力手段とを、備えたことを特徴とする遠隔制御装置。
【請求項６】
前記出力手段は、前記注意喚起信号を可視信号で出力するための液晶表示器を有することを特徴とする請求項５記載の遠隔制御装置。
【請求項７】
前記出力手段は、前記注意喚起信号を音声または警告音で出力するためのスピーカを有することを特徴とする請求項５記載の遠隔制御装置。
【請求項８】
無線を介して与えられる制御信号に基づいて放送信号を受信して出力または記録する受信手段と、過去に受信した放送信号のチャネル及び時間帯を含む受信履歴を記憶する記憶手段と、周期的に起動されて前記受信履歴に基づいてその時点で受信すべきチャネルを推定する推定手段と、前記推定されたチャネルとその時点における受信チャネルを比較し、一致していないときには注意喚起信号を生成する判定手段と、前記注意喚起信号を無線を介して送信する送信手段とを有する音声映像装置を、無線を介して制御する遠隔制御装置に使用される遠隔制御用集積回路であって、
操作部からの入力に従って前記音声映像装置に対する前記制御信号を生成する操作制御手段と、
前記制御信号を無線を介して送信する送信手段と、
前記音声映像装置から無線を介して送信された前記注意喚起信号を受信する受信手段と、
前記受信した注意喚起信号に従って可聴または可視信号を出力する出力部を駆動する出力手段とを、
備えたことを特徴とする遠隔制御用集積回路。
【請求項９】
前記出力部は、前記注意喚起信号を可視信号で出力するための液晶表示器を有することを特徴とする請求項８記載の遠隔制御用集積回路。
【請求項１０】
前記出力手段は、前記注意喚起信号を音声または警告音で出力するためのスピーカを有することを特徴とする請求項８記載の遠隔制御用集積回路。
【請求項１１】
放送信号を受信して出力または記録する音声映像装置が、遠隔制御装置からの制御信号に基づいて受信した過去の放送信号のチャネル及び時間帯を含む受信履歴を記憶する記憶処理と、
前記音声映像装置が、周期的に前記受信履歴に基づいてその時点で受信すべきチャネルを推定する推定処理と、
前記推定されたチャネルとその時点における受信チャネルを比較し、一致していないときには前記音声映像装置から前記遠隔制御装置に対して無線を介して注意喚起信号を送信する送信処理と、
前記遠隔制御装置が、前記音声映像装置から無線を介して送信されてきた前記注意喚起信号を受信して可視または可聴信号で出力する出力処理とを、
行うことを特徴とする遠隔制御方法。
【請求項１２】
前記出力処理は、前記注意喚起信号を液晶表示器に可視信号で出力することを特徴とする請求項１１記載の遠隔制御方法。
【請求項１３】
前記出力手段は、前記注意喚起信号をスピーカから音声または警告音で出力することを特徴とする請求項１１記載の遠隔制御方法。
【請求項１４】
前記推定処理は、前記受信履歴に加えて、前記放送信号から得られた番組情報に基づいて受信すべきチャネルを推定することを特徴とする請求項１１，１２または１３記載の遠隔制御方法。
【発明の詳細な説明】
【技術分野】
【０００１】
本発明は、テレビジョン受信機（以下、「ＴＶ」という）、ＤＶＤレコーダ、ビデオデコーダ等の音声映像機器（以下、「ＡＶ機器」という）を離れた場所から制御するシステム、遠隔制御装置（以下、「リモコン」という）、このリモコンを構成する集積回路、および遠隔制御方法に関するものである。
【背景技術】
【０００２】
従来、ＴＶ、ＤＶＤレコーダ、ビデオデコーダ等のＡＶ機器を離れた場所から制御するリモコンは、受信チャネル設定、音量設定、録画予約情報等の、ＡＶ機器本体の動作を指定するもので、赤外線を用いてリモコンからＡＶ機器へ制御データを送信する単方向通信となっている。
【０００３】
一方、下記特許文献１には、利用者が定期的に見ている番組を見逃すことがないように、放送の受信履歴（過去の曜日毎の受信チャネル、受信時間帯等）をＴＶ側で記録しておき、その時間帯になったときに、別のチャネルが選択されていたり電源が投入されていなかったりした場合に、本体装置に確認情報の表示や警告音の出力を行うＴＶが記載されている。
【０００４】
【特許文献１】特開平５−７５９３７号公報
【発明の開示】
【発明が解決しようとする課題】
【０００５】
しかしながら、前記特許文献１に記載されたＴＶでは、本体装置の表示部に確認情報が表示されたり、本体装置に設けられた発音体から警告音が出力されるだけであるので、ＴＶ本体から離れた場所にいる利用者には伝わりにくいという課題があった。
【０００６】
本発明は、リモコンに双方向通信機能を持たせることにより、利用者が定期的に見ている番組等を見逃すことがないように注意を喚起することができるＡＶ機器遠隔制御システムを提供することを目的としている。
【課題を解決するための手段】
【０００７】
本発明は、放送信号を受信して出力または記録するＡＶ機器と、無線を介して該ＡＶ機器に対する制御を行うリモコンからなるＡＶ機器遠隔制御システムにおいて、ＡＶ機器とリモコンをそれぞれ次のように構成したことを特徴としている。
【０００８】
即ち、ＡＶ機器は、リモコンから無線を介して与えられる制御信号に基づいて放送信号を受信して出力または記録する受信手段に加え、過去に受信した放送信号のチャネル及び時間帯を含む受信履歴を記憶する記憶手段と、周期的に起動されて前記受信履歴に基づいてその時点で受信すべきチャネルを推定する推定手段と、前記推定されたチャネルとその時点における受信チャネルを比較し、一致していないときには注意喚起信号を生成する判定手段と、前記注意喚起信号を無線を介して前記リモコンに送信する送信手段とを有している。また、リモコンは、操作部からの入力に従って無線を介して前記ＡＶ機器に対する制御を行う制御手段に加え、前記ＡＶ機器から無線を介して送信された前記注意喚起信号を受信して可視または可聴信号で出力する出力手段を有している。
【発明の効果】
【０００９】
本発明では、ＡＶ機器側で過去に受信した放送信号のチャネル及び時間帯を含む受信履歴を記憶し、この受信履歴に基づいてその時点で受信すべきチャネルを推定し、推定されたチャネルとその時点における受信チャネルを比較して一致していないときには注意喚起信号を生成し、この注意喚起信号を無線を介してリモコンに送信するようにしている。
【００１０】
一方、リモコンは、操作部からの入力に従って無線を介してＡＶ機器に対する制御を行う制御手段に加え、このＡＶ機器から無線を介して送信された注意喚起信号を受信して可視または可聴信号で出力する出力手段を有している。これにより、利用者が定期的に見ている番組等を見逃すことがないように、注意を喚起するための情報をリモコンに出力することが可能になるという効果がある。
【発明を実施するための最良の形態】
【００１１】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１２】
図１は、本発明の実施例を示すＡＶ機器遠隔制御システムの構成図である。
このＡＶ機器遠隔制御システムは、例えばＴＶ等のＡＶ機器１０と、このＡＶ機器１０を操作するためのリモコン２０で構成され、これらがIEEE802.15.4規格の無線ネットワーク３０で接続される構成となっている。
【００１３】
ＡＶ機器１０は、放送信号を受信して映像および音声を出力するＴＶ本体１１に加えて、リモコン２０からの制御信号を受信する無線ネットワーク３０に対応したアンテナ１２と受信部１３を有している。受信部１３には、受信した制御信号を解読してＴＶ本体１１の電源のオンオフ、受信チャネルの設定、音量の制御等を行う制御部１４が接続されている。
【００１４】
更に、このＡＶ機器１０には、受信履歴管理部１５と、番組表格納部１６と、判定部１７と、送信部１８が設けられている。受信履歴管理部１５は、ＴＶ本体１１の受信チャネルを周期的に読み取って、受信した過去の放送信号のチャネル及び時間帯を含む受信履歴を記憶するものである。番組表格納部１６は、ＴＶ本体１１で受信した番組表を記憶するものである。
【００１５】
判定部１７は、受信履歴管理部１５に記憶された受信履歴と、番組表格納部１６に記憶された番組表に基づいて、このＡＶ機器１０の利用者がその曜日の時間帯に定期的に見ている番組を推定し、現在受信しているチャネルが推定したチャネルに一致しているか否かを判定するものである。もしも、推定したチャネルとは異なったチャネルを受信していたり、ＴＶ本体１１の電源が切断されていたりしたときには、判定部１７はその状態を示す注意喚起信号を出力するようになっている。なお、推定どおりのチャネルが受信されていれば、注意喚起信号は出力されない。送信部１８は、判定部１７から出力された注意喚起信号を、アンテナ１２から無線ネットワーク３０を介してリモコン２０へ送信するものである。
【００１６】
一方、リモコン２０は、操作キー等の操作部２１、この操作部２１から与えられる信号に基づいてＡＶ機器１０に対する電源のオンオフ等の制御信号を生成する操作制御部２２、この操作制御部２２で生成された制御信号を無線ネットワーク３０に対応する信号に変換して送信する送信部２３、及びアンテナ２４を有している。
【００１７】
更に、このリモコン２０は、ＡＶ機器１０から無線ネットワーク３０を介して送られてきた注意喚起信号を受信して出力するための受信部２５、出力部２６、スピーカ２７及び液晶表示部（以下、「ＬＣＤ」という）２８が設けられている。
【００１８】
出力部２６は、受信部２５が受信した注意喚起信号に基づいて、スピーカ２７とＬＣＤ２８を駆動し、スピーカ２７から音声または警告音で利用者に対する注意を喚起すると共に、その注意を喚起する具体的な内容をＬＣＤ２８に表示するものである。なお、リモコン２０の操作制御部２２、送信部２３、受信部２５及び出力部２６は、１つの集積回路として形成されている。
【００１９】
図２は、図１中の受信履歴管理部１５によるチャネル設定情報の一例を示す説明図である。以下、この図２を参照しつつ、図１のＡＶ機器遠隔制御システムの動作を説明する。
【００２０】
利用者は、リモコン２０の操作部２１の操作キーを押下することにより、例えば、ＴＶ本体１１の受信チャネルの選択を行う。操作制御部２２では、操作部２１からの信号に基づいてＴＶ本体１１に対する制御信号を生成し、送信部２３に与える。送信部２３は、操作制御部２２から与えられた制御信号を、通信ネットワーク３０の規格に準じたデータに変換し、アンテナ２４から送信する。
【００２１】
ＡＶ機器１０のアンテナ１２は、リモコン２０から送信された無線データを受信し、受信部１３に与える。受信部１３では、無線データを元の制御信号に復調し、制御部１４に与える。制御部１４は、受信部１３から与えられる制御信号に従って、ＴＶ本体１１の受信チャネルを制御する。これにより、ＴＶ本体１１の受信チャネルは、利用者がリモコン２０で選択したチャネルに切り替えられる。以上の動作は、従来の赤外線を使用したリモコンによるシステムを同一である。
【００２２】
一方、ＡＶ機器１０では、受信履歴管理部１５が、一定の周期（この場合は、１分周期）でＴＶ本体１１の受信しているチャネルを読み取り、チャネル設定情報として記録する。チャネル設定情報は、図２に一例を示すように、過去７日分の曜日毎に１分単位で、どのチャネルが設定されていたかを格納するテーブル構成となっている。例えば、金曜日の１８時５９分まではチャネル８が選択され、１９時からはチャネル１が選択されたといった具合である。なお、電源がオフになっている時刻は、“ＯＦＦ”状態であることが記録される。また、１週間が経過すると、その曜日と時刻の情報は、最新の情報で書き換えられるようになっている。
【００２３】
また、番組表格納部１６は、ＴＶ本体１１で受信した放送信号から、例えば１日単位に各放送局の放送番組を取得して番組表を記録する。
【００２４】
判定部１７は、定期的に番組表格納部１６を読み出し、まもなく開始時刻が近づいている番組を抽出し、抽出した番組と現在受信中のチャネルとの比較を行う。
【００２５】
例えば、木曜日の１６時４５分の時点で番組表格納部１６から、チャネル１で１７時から１８時までの番組Ａ、チャネル３で１７時から１７時３０分までの番組Ｂ、チャネル４で１６時５８分から１７時５４分までの番組Ｃの３番組が抽出されたとする。また、判定部１７は受信履歴管理部１５のチャネル設定情報を参照し、１週間前の木曜日の１６時５８分から１８時までの受信履歴に基づいて、同時間帯に選択していた頻度の一番高いチャネルを決定する。そして、この決定したチャネル（例えば、チャネル１）を、利用者が視聴を希望しているチャネルと推定する。
【００２６】
更に、判定部１７は、推定したチャネルにおける番組の開始時間（例えば、チャネル１の番組Ａの開始時刻１７時）になった時点で、ＴＶ本体１１の受信チャネルをチェックする。この時点で、ＴＶ本体１１の電源が切断されていたり、ＴＶ本体１１の受信チャネルが推定したチャネルとは別のチャネルであったりした場合、判定部１７は、利用者に注意を喚起するための注意喚起信号を生成して送信部１８に出力する。この注意喚起信号は、例えば「チャネル１の番組が開始する」旨の情報を有している。
【００２７】
送信部１８は、与えられた注意喚起信号を通信ネットワーク３０の規格に準じた無線データに変換し、アンテナ１２から送信する。
【００２８】
リモコン２０のアンテナ２４は、ＡＶ機器１０側から送信された無線データを受信し、受信部２５に与える。受信部２５では、無線データを元の注意喚起信号に復調し、出力部２６に与える。出力部２６は、受信部２５から与えられる注意喚起信号に従って、スピーカ２７とＬＣＤ２８を駆動する。これにより、例えば、スピーカ２７から警告音（ピー音）が出力され、ＬＣＤ２８には「チャネル１の開始時刻です」等の表示が行われる。
【００２９】
以上のように、本実施例のＡＶ機器遠隔制御システムは、ＡＶ機器側で利用者が過去にどのチャネルを選択していたかの受信履歴を記録し、この受信履歴に基づいて利用者が視聴を希望しているチャネルを推定し、そのチャネルの受信時刻に推定したチャネルが選択されているか否かを判定し、もしも、選択されていないときには、ＡＶ機器側からリモコン側に注意喚起信号を出力するようにしている。特に家庭用のＡＶ機器では、通常視聴するチャネルが、曜日と時間帯によって固定化される傾向に有るので、過去の同一の曜日と時間帯で利用者が選択したチャネルは、現時点でも利用者が希望するチャネルである可能性が高い。従って、受信履歴に基づいて利用者が希望するチャネルを推定してリモコンに注意喚起信号を出力することにより、利用者の近くにリモコンが存在すれば、見たい番組を見落とすおそれを軽減することができるという利点がある。
【００３０】
なお、本発明は、上記実施例に限定されず、種々の変形が可能である。この変形例としては、例えば、次のようなものがある。
（ａ）  ＡＶ機器１０はＴＶに限らず、ＤＶＤレコーダやビデオデコーダ等でも、同様に適用可能である。
（ｂ）  ＡＶ機器１０とリモコン２０の間の無線ネットワーク３０の規格は、IEEE802.15.4に限定するものではない。
（ｃ）  リモコン２０に対する注意喚起の出力は、少なくとも警告音または音声を出力することが出来れば良い。
（ｄ）  受信履歴管理部１５で記憶する過去のチャネル設定情報は、例示したものに限定されない。１週間以上の過去の情報を用いて希望のチャネルを推定することにより、的中率を上げることができる。また、例えば５分単位に記憶することにより、記憶容量を削減することも出来る。
（ｅ）  番組表格納部１６によって番組の開始時間を管理しているが、番組表データが存在しない場合には、例えば１時間単位に注意喚起信号を出力するように構成すれば良い。また、１週間の受信履歴に基づいて予め各曜日の各時間帯の受信チャネルを推定しておき、これに基づいて注意喚起信号を出力するようにしても良い。
【図面の簡単な説明】
【００３１】
【図１】本発明の実施例を示すＡＶ機器遠隔制御システムの構成図である。
【図２】図１中の受信履歴管理部１５によるチャネル設定情報の一例を示す説明図である。
【符号の説明】
【００３２】
１０    ＡＶ機器
１１    ＴＶ本体
１２，２４    アンテナ
１３，２５    受信部
１４    制御部
１５    受信履歴管理部
１６    番組表格納部
１７    判定部
１８，２３    送信部
２０    リモコン
２１    操作部
２２    操作制御部
２６    出力部
２７    スピーカ
２８    ＬＣＤ
【図１】
2009071566.tif 000003
【図２】
2009071566.tif 000004